(57)【要約】【課題】  弾球遊技機に備えられ、球通路内に保持される遊技球の不正な球抜き行為を未然に防止する等の球抜き装置を提供する。【解決手段】  球抜き装置１００は、予備賞球通路３２の壁面を開閉させる流路切換部材１０２と、流路切換部材を押圧してその動作を規制するソレノイド１２２を備える。球抜き操作がされるとホールコンピュータに球抜き動作の許可を求め、球抜き許可の受信に応じてソレノイドによる規制を解除して球抜き動作を実行する。パチンコ機１の前枠３が開放しているとき等には球抜き許可を発行しないことで、かかる状態での不正な球抜きを防止する。【選択図】  図６
2005342245.tif 000002
【特許請求の範囲】
【請求項１】
弾球遊技機に形成された球通路内に保持される遊技球を機外へ排出させる球抜き装置であって、
球抜き操作を検出する球抜き操作検出手段と、
前記球通路の一壁面を閉塞又は開放する流路切換部材と、
前記流路切換部材の動作を規制する球抜き動作規制手段と、
前記球抜き動作規制手段を制御する球抜き動作制御手段とを備え、
前記球抜き動作制御手段は、前記球抜き操作検出手段によって球抜き操作が検出されると管理コンピュータへ球抜き許可要求を送信し、当該管理コンピュータが応答する球抜き許可の受信に応じて球抜き動作規制手段による前記流路切換部材の規制を解除することで、球抜き動作を実行することを特徴とする弾球遊技機の球抜き装置。
【請求項２】
前記管理コンピュータは、前記球抜き許可要求を送信する弾球遊技機の遊技機情報を収集し、当該弾球遊技機において少なくとも前枠部材が開放しているときには、前記球抜き許可要求に対する球抜き許可を送信しないことを特徴とする請求項１に記載の球抜き装置。
【請求項３】
前記管理コンピュータは、前記球抜き許可要求を送信する弾球遊技機の遊技機情報を収集し、当該弾球遊技機において少なくともガラス枠部材が開放しているときには、前記球抜き許可要求に対する球抜き許可を送信しないことを特徴とする請求項１に記載の球抜き装置。
【請求項４】
前記管理コンピュータは、前記球抜き許可要求を送信する弾球遊技機の遊技機情報を収集し、当該弾球遊技機において少なくとも図柄表示が行われているときには、前記球抜き許可要求に対する球抜き許可を送信しないことを特徴とする請求項１に記載の球抜き装置。
【請求項５】
前記管理コンピュータは、前記球抜き許可要求を送信する弾球遊技機の遊技機情報を収集し、当該弾球遊技機が少なくとも特別遊技状態にあるときには、前記球抜き許可要求に対する球抜き許可を送信しないことを特徴とする請求項１に記載の球抜き装置。
【請求項６】
前記管理コンピュータは、前記球抜き許可要求を送信する弾球遊技機の遊技機情報を収集し、当該弾球遊技機が少なくとも遊技球を払い出している状態にあるときには、前記球抜き許可要求に対する球抜き許可を送信しないことを特徴とする請求項１に記載の球抜き装置。
【請求項７】
前記球抜き動作規制手段はソレノイドを備え、該ソレノイドが前記流路切換部材と係止することで前記球通路の一壁面を前記流路切換部材が開放する動作を規制することを特徴とする請求項１〜６の何れか１項に記載の球抜き装置。
【発明の詳細な説明】
【技術分野】
【０００１】
本発明は、パチンコ機等の弾球遊技機に備えられる球抜き装置に関し、より詳細には、遊技盤の裏面側に設けられ、賞球払出装置によって払い出されるべく予備賞球通路内に待機する遊技球を必要に応じて機外へ排出させるための球抜き装置に関する。
【背景技術】
【０００２】
弾球遊技機であるパチンコ機は、発射ハンドルの回動操作に応じて遊技球を遊技盤へ打ち出しながら遊技を行うもので、遊技盤に設けられたチャッカー等の入賞口へ遊技球が落入することにより、所定数の遊技球を賞球として球皿部へ払い出すよう構成されている。一般的にパチンコ機には、遊技施設の遊技島に固定支持される矩形状の外枠と、外枠に対して開閉可能に取り付けられ遊技盤及び発射ハンドルなどパチンコ機の主要な機器類が設けられた前枠とが備えられている。
【０００３】
上記前枠の裏面側には、裏セット盤と呼ばれる基枠体が設けられ、ここには入賞時又は貸し出し操作がされたとき遊技球を球皿部へ払い出す装置である賞球払出装置と、遊技施設側が補給する遊技球（「予備賞球」ともいう）を貯留する球タンクと、球タンクに貯留されている遊技球を賞球払出装置へ案内する予備賞球通路等が形成されている。
【０００４】
賞球払出装置等の保守、点検作業を行うときや、パチンコ機本体の入れ換え作業をするときには、パチンコ機内部に残留する遊技球を機外へ排出させる必要がある。このため、賞球払出装置へ遊技球を供給する予備賞球通路には、作業員によって操作される球抜き装置が設けられている（例えば、特許文献１参照）。
【０００５】
図１９は、パチンコ機の裏面側に設けられる従来の球抜き装置９００の外観構造を表す背面図である。同図によれば球抜き装置９００は、予備賞球としてパチンコ機へ供給される遊技球を下方の賞球払出装置へ案内する予備賞球通路９０４に設けられ、球抜き操作を行うためのレバー部材９０１と、予備賞球通路９０４に連通し多段に屈曲するＳ字レール部９０５の壁面の一部を構成する揺動可能な流路切換部材９０２とから主に構成される。
【０００６】
レバー部材９０１は、基枠体９０３において前後方向に揺動可能に取り付けられ、右方へ延びる操作部９０１ａと流路切換部材９０２側へ突出する係合突起部９０１ｂとが一体的に形成されている。また、流路切換部材９０２は、Ｓ字レール部９０５の壁面形状に倣った曲面を有する通路壁部９０２ａと、当該流路切換部材９０２がＳ字レール部９０５の壁面を閉塞させる状態においてレバー部材９０１の係合突起部９０１ｂと係合する係合孔９０２ｂとが形成されている。
【０００７】
通常の遊技中においては、レバー部材９０１の係合突起部９０１ｂが流路切換部材９０２の係合孔９０２ｂに係合し、流路切換部材９０２がＳ字レール部９０５の壁面を閉塞させる位置に保持されるため、供給された遊技球はＳ字レール部９０５を介して下流側の賞球払出装置へ流下する。レバー部材９０１の操作部９０１ａが後方（図面では手前側）へ傾倒操作されると、レバー部材９０１の係合突起部９０１ｂと流路切換部材９０２の係合孔９０２ｂとの係合状態が解除され、予備賞球通路９０４内の遊技球の重圧で流路切換部材９０２が開放する。これにより、予備賞球通路９０４内に待機する遊技球は、流路切換部材９０２に隣接する球抜き通路９０６を通して前枠下部の球排出口から機外へ排出されるように構成されている。
【０００８】
【特許文献１】特開２００３−１６４６２９号公報
【発明の開示】
【発明が解決しようとする課題】
【０００９】
従来の球抜き装置９００によれば、上述したように、レバー部材９０１の操作部９０１ａが一旦、傾倒操作されると、遊技球の重圧によって流路切換部材９０２が開放して球抜き動作が行われるように構成されている。ところが、仮に不正行為者によって故意に前枠が開錠され、球抜き装置９００が操作されると、予備賞球通路９０４内の遊技球が無くなるまで球抜き動作が継続し、前枠下部の球排出口から遊技球が容易に盗み取られてしまうという問題があった。また、遊技島施設から遊技球の補給が可能な状態で球抜き操作が行われると、球抜きによって排出された遊技球の不足分が補給されながら球抜き動作が継続するため、不正な球抜き操作によって数多くの遊技球が窃盗され、遊技場側が甚大な被害を蒙るおそれがあった。
【００１０】
本発明は、こうした従来の問題に鑑みてなされたものであり、不正な球抜き行為を未然に防止する等の球抜き装置を提供することを目的としている。
【課題を解決するための手段】
【００１１】
上述した課題を解決するため、請求項１に記載の発明は、弾球遊技機に形成された球通路内に保持される遊技球を機外へ排出させる、弾球遊技機の球抜き装置であって、球抜き操作を検出する例えば球抜き操作スイッチである球抜き操作検出手段と、前記球通路の一壁面を閉塞又は開放する流路切換部材と、前記流路切換部材の動作を規制する、例えばソレノイドとそのプランジャに係止される流路切換部材の突出部とを含んで形成される球抜き動作規制手段と、前記球抜き動作規制手段を制御する球抜き動作制御手段とを備え、前記球抜き動作制御手段は、前記球抜き操作検出手段によって球抜き操作が検出されると例えばホールコンピュータである管理コンピュータへ球抜き許可要求を送信し、当該管理コンピュータが応答する球抜き許可の受信に応じて球抜き動作規制手段による前記流路切換部材の規制を解除することで、球抜き動作を実行することを特徴とする。
【００１２】
請求項２に記載の発明は、請求項１に記載の球抜き装置であって、前記管理コンピュータは、前記球抜き許可要求を送信する弾球遊技機の遊技機情報を収集し、当該弾球遊技機において少なくとも前枠部材が開放しているときには、前記球抜き許可要求に対する球抜き許可を送信しないことを特徴とする。
【００１３】
請求項３に記載の発明は、請求項１に記載の球抜き装置であって、前記管理コンピュータは、前記球抜き許可要求を送信する弾球遊技機の遊技機情報を収集し、当該弾球遊技機において少なくともガラス枠部材が開放しているときには、前記球抜き許可要求に対する球抜き許可を送信しないことを特徴とする。
【００１４】
請求項４に記載の発明は、請求項１に記載の球抜き装置であって、前記管理コンピュータは、前記球抜き許可要求を送信する弾球遊技機の遊技機情報を収集し、当該弾球遊技機において少なくとも図柄表示が行われているときには、前記球抜き許可要求に対する球抜き許可を送信しないことを特徴とする。
【００１５】
請求項５に記載の発明は、請求項１に記載の球抜き装置であって、前記管理コンピュータは、前記球抜き許可要求を送信する弾球遊技機の遊技機情報を収集し、当該弾球遊技機が少なくとも特別遊技状態にあるときには、前記球抜き許可要求に対する球抜き許可を送信しないことを特徴とする。
【００１６】
請求６に記載の発明は、請求項１に記載の球抜き装置であって、前記管理コンピュータは、前記球抜き許可要求を送信する弾球遊技機の遊技機情報を収集し、当該弾球遊技機が少なくとも遊技球を払い出している状態にあるときには、前記球抜き許可要求に対する球抜き許可を送信しないことを特徴とする。
【００１７】
請求項７に記載の発明は、請求項１〜６の何れか１項に記載の球抜き装置であって、前記球抜き動作規制手段はソレノイドを備え、該ソレノイドが前記流路切換部材と係止することで前記球通路の一壁面を前記流路切換部材が開放する動作を規制することを特徴とする。
【００１８】
請求項１に記載の球抜き装置によれば、例えば球抜き操作スイッチである球抜き操作検出手段が球抜き操作を検出すると、球抜き動作制御手段が例えばホールコンピュータである管理コンピュータへ球抜き許可要求を送信し、管理コンピュータが応答する球抜き許可を受信したとき、例えばソレノイドのプランジャと流路切換部材の突出部である球抜き動作規制手段による流路切換部材の規制を解除して、球抜き動作を実行する。これにより、不正な球抜きが未然に防止され、弾球遊技機における安全性が向上する。
【００１９】
請求項２に記載の球抜き装置によれば、管理コンピュータは、球抜き許可要求を送信する弾球遊技機の遊技機情報を収集し、当該弾球遊技機において少なくとも前枠部材が開放しているときには球抜き許可を送信しない。このため、前枠部材が開放された状態では球抜き動作規制手段による流路切換部材の規制が解除されず、球抜き動作が実行されない。したがって、この状態における不正な球抜きが未然に防止され、弾球遊技機における安全性が向上する。
【００２０】
請求項３に記載の球抜き装置によれば、管理コンピュータは、球抜き許可要求を送信する弾球遊技機において少なくともガラス枠部材が開放しているときには球抜き許可を送信しない。このため、ガラス枠部材が開放された状態では球抜き動作規制手段による流路切換部材の規制が解除されず、球抜き動作が実行されない。したがって、この状態における不正な球抜きが未然に防止され、弾球遊技機における安全性が向上する。
【００２１】
請求項４に記載の球抜き装置によれば、管理コンピュータは、球抜き許可要求を送信する弾球遊技機において少なくとも図柄表示が行われているときには球抜き許可を送信しない。このため、図柄表示が行われている遊技状態では球抜き動作規制手段による流路切換部材の規制が解除されず、球抜き動作が実行されない。したがって、この状態における不正な球抜きが未然に防止され、弾球遊技機における安全性が向上する。
【００２２】
請求項５に記載の球抜き装置によれば、管理コンピュータは、球抜き許可要求を送信する弾球遊技機において少なくとも特別遊技状態にあるときには球抜き許可を送信しない。このため、特別遊技状態にあるときには球抜き動作規制手段による流路切換部材の規制が解除されず、球抜き動作が実行されない。したがって、この状態における不正な球抜きが未然に防止され、弾球遊技機における安全性が向上する。
【００２３】
請求項６に記載の球抜き装置によれば、管理コンピュータは、球抜き許可要求を送信する弾球遊技機において少なくとも遊技球を払い出している状態にあるときには球抜き許可を送信しない。このため、遊技球を払い出している遊技状態にあるときには球抜き動作規制手段による流路切換部材の規制が解除されず、球抜き動作が実行されない。したがって、この状態における不正な球抜きが未然に防止され、弾球遊技機における安全性が向上する。
【００２４】
請求項７に記載の球抜き装置によれば、ソレノイドが流路切換部材と係止することにより、球通路の一壁面を開放する流路切換部材の動作を規制する。球抜き動作制御手段は、管理コンピュータから球抜き許可を受信したとき、ソレノイドを制御して、例えばプランジャと流路切換部材の突出部との係止状態を解除することで、球抜き動作を実行させる。
【発明の効果】
【００２５】
上述したように、本発明によれば、球抜き操作が検出されると管理コンピュータに球抜き動作の許可を求め、球抜き許可があったときに限り球抜き動作を実行する。球抜き操作された弾球遊技機が例えば前枠部材が開放された状態等のとき、管理コンピュータからは球抜き許可が送信されないため、不正な球抜き行為が行われるおそれがある、係る状態においては球抜き動作規制手段による流路切換部材の規制が解除されず球抜き動作が実行されない。このため、前枠部材が開放された状態等における不正な球抜きを未然に防止することができ、安全性が向上する。
【発明を実施するための最良の形態】
【００２６】
以下、本発明の好適な一実施形態としてパチンコ機を採り上げ、このパチンコ機の裏セット盤に設けられる予備賞球通路に本発明に係る球抜き装置を適用した実施例を説明する。
【００２７】
まず、弾球遊技機の代表例であるパチンコ機の概要構成を図面を参照しながら説明する。ここで、図１はパチンコ機の外観構造を表す正面図、図２はガラス枠を開放した状態におけるパチンコ機の遊技盤と前枠の前面側の構造を主に表す正面図、図３はパチンコ機の外観構造を表す側面図、図４はその背面図、図５は各種電子回路基板及びカバー部材等を取り外した状態における、パチンコ機の裏セット盤の構造を表す背面図である。
【００２８】
パチンコ機１は、本体を遊技島へ固定保持するための外郭枠であり矩形状に形成された木製の外枠２と、当該外枠２に対してヒンジ部材３ａにより開閉可能に装着され、通常時には外枠２の開口前面を閉鎖する前枠３とを備えている。前枠３の前面には、アクリル等の透明樹脂板又は透明なガラス板等から形成される二重の透明板が取り付けられたガラス枠４と、硬質プラスチックで一体的に形成された上球皿５が開閉可能に装着されている。
【００２９】
なお、前枠３内には、前枠３を外枠２側へ閉めることで自動的に施錠し、且つ、上球皿５とともにガラス枠４を前枠３側へ閉めることでも自動的に施錠する図示しない施錠装置が設けられ、前枠３の前面右部に形成されている鍵穴６に所定の鍵を挿入して開錠操作をすることにより、これらを開放することができるようになっている。
【００３０】
更に、前枠３の前面であってガラス枠４の裏面部分と対向する一カ所にガラス枠開放スイッチ４２（図１参照）と、前枠３の裏面側であって外枠２の前面部分と対向する一カ所に前枠開放スイッチ４１（図４参照）とがそれぞれ設けられている。これらガラス枠開放スイッチ４２と前枠開放スイッチ４１は、いずれも押圧式のスイッチから形成される。ガラス枠開放スイッチ４２は、ガラス枠４が前枠３に対して閉鎖されると押圧された状態でオフ動作し、ガラス枠４が開放されるとオン動作することで、ガラス枠４の閉鎖及び開放状態を検知する。また、前枠開放スイッチ４１は、前枠３が外枠２に対して閉鎖されると押圧された状態でオフ動作し、前枠３が開放されるとオン動作することにより、前枠３の閉鎖及び開放状態を検知する。
【００３１】
次に、図１及び図２を参照し、パチンコ機１の正面側の構造を説明する。
【００３２】
ガラス枠４の前面上部には、高輝度の発光ダイオード等の光源を内蔵する演出用照明部４ａが配設されている。
【００３３】
上球皿５には、払い出された遊技球を貯留して整列させる球皿部５ａが形成されている。上球皿５の前面には、球皿部５ａに貯留されている遊技球を下球皿７の球皿部７ａへ排出させる操作を行うための球抜きレバー８が設けられている。
【００３４】
上球皿５の前面左部には、パチンコ機１の遊技に係る効果音又は遊技の進行を音声で案内するためのスピーカ１１を備える演出用放音部５ｃが配設されている。
【００３５】
下球皿７には球皿部７ａが形成され、球抜きレバー８が操作されることで上球皿５から球抜きされた遊技球、又は上球皿５から溢れた遊技球が球出口７ｂを介して球皿部７ａへ排出される。
【００３６】
下球皿７の前面右下部には、上球皿５に貯留された遊技球を遊技盤２０へ向けて打ち出す操作をするための発射ハンドル９が配設されている。発射ハンドル９は、内蔵するバネによって反時計回りに常時付勢される回動操作部９ａを有し、遊技者が回動操作部９ａに触れながら当該付勢力に抗して回動操作部９ａを時計回りに回動操作すると後述する球発射装置５０を作動して、回動操作部９ａの回動角度に応じた打撃力で遊技球が打ち出されるようになっている。
【００３７】
ガラス枠４と対向する前枠３の中央は、遊技盤２０を収容するための開口である遊技盤収容部が形成されている。なお、遊技盤２０は、複数の係合レバー１０により、着脱交換可能に遊技盤収容部に収容されて保持される（図４及び図５参照）。そして、ガラス枠４が前枠３側へ閉じられた状態では、遊技盤２０の前面とガラス枠４の透明板とが所定の間隔で対向することで、遊技盤２０に遊技球が落下移動する遊技領域が形成される。
【００３８】
遊技盤２０の前面である上記遊技領域には複数の釘が打設された配列パターンであるゲージが形成されている。遊技領域に打ち出された遊技球は、ゲージを構成する複数の釘に衝突して偶発的にその方向が変更されながら下方へ落下する。
【００３９】
また、遊技盤２０の遊技領域には、入賞口に遊技球が入球することで入賞となるチャッカー２１、同じく入賞口に入球することで大当たり等の特別遊技状態への抽選を起動させる始動チャッカー２２、特別遊技状態において一定時間又は一定数の遊技球が入球するまで開放し遊技球が入ると通常よりも多くの賞球を払い出すアタッカー２３等の入賞役物が適宜の位置に配置されている。また、遊技領域の下部には、入賞口に入球せずに落下したアウト球を集合して排出させるアウト口２４が設けられている。更に、遊技領域の略中央には、液晶表示ユニット５３の表示部を透視可能な飾り部材２８が設けられている。
【００４０】
遊技盤２０が取り付けられる前枠３の下方部分には、遊技補助盤２０ａが形成され、その右方部分に球発射装置５０が設けられている。なお、球発射装置５０は、発射ハンドル９の回動操作に応じて、上球皿５の球皿部５ａに貯留されている遊技球を一球づつ遊技領域へ打ち出す装置である。また、遊技補助盤２０ａには、球発射装置５０の打撃ハンマ５０２と位置整合して遊技球を遊技領域の外レール７１に向けて発射する発射レールや、演出効果音を発生するスピーカ１１等が取り付けられている。なお、遊技補助盤２０ａは上球皿５の裏側に位置し、常には閉鎖状態に保持される上球皿５によりその表面側が覆われている。
【００４１】
次に、図４及び図５を参照しパチンコ機１の裏面側の構造を説明する。
【００４２】
前枠３の裏面側には、硬質プラスチックで一体的に形成された基枠体３１に賞球払出装置５２等の各種機器が取り付けられた裏セット盤３０が、遊技盤２０の裏面を覆うように開閉可能に取り付けられている。なお、詳細は後述するが、裏セット盤３０の基枠体３１には、予備賞球が貯留される球タンク５１から賞球払出装置５２へ予備賞球を案内する予備賞球通路３２と、賞球払出装置５２から払い出された賞球又は貸球を上球皿５の球皿部５ａ又は下球皿５の球皿部７ａへ案内する賞球通路３３と、入賞口へ入球した遊技球及びアウト口２４を介して回収されたアウト球を集合させて下方の遊技施設側の貯球タンク（図示略）へ排出させる球排出通路３４、及び球抜き装置１００により球抜きされた予備賞球を球排出通路３４へ案内して上記貯球タンクへ排出させる球抜き通路３５等が形成されている。
【００４３】
裏セット盤３０を構成する基枠体３１の略中央には長方形の開口部が形成されており、裏セット盤３０が前枠３に閉鎖された状態においては、遊技盤２０の裏面から突出する液晶表示ユニット５３とともにその裏面に取り付けられた画像制御基板６６を開口部に受容する。
【００４４】
また、基枠体３１には、上述した球タンク５１及び賞球払出装置５２と、パチンコ機１の動作を統括的に制御する主制御基板６０と、スピーカ１１及び発光ダイオード等を駆動して音と光による演出制御を行うサブ制御基板６１と、賞球及び貸球の払出し制御を行う払出制御基板６２と、球発射装置５０と発射ハンドル９の中継基板として機能する発射制御基板６７と、電源装置基板６３と、複数のコネクタが取り付けられて制御信号や電力の中継を行う遊技盤中継基板６４と、パチンコ機１の作動状態（遊技機情報）を遊技場施設内の管理コンピュータ（例えばホールコンピュータ）へ出力するための外部端子基板６５等が取り付けられ、これら各種機器及び電子回路基板がワイヤーハーネス等で電気的に接続される。ここで、払出制御基板６２は、入賞時又は貸し出し操作がされたとき、賞球払出装置５２を作動して所定数の賞球又は貸球を払い出す制御を行う制御基板である。電源装置６３には、配電回路が形成され、パチンコ機１の動作に必要な電力を上記各種機器及び制御基板、その他の装置へ供給する。
【００４５】
なお、パチンコ機１は、所要の後傾角度（例えば１度）に保持されて遊技施設の遊技島に設置される。
【００４６】
パチンコ機１は、前枠３、ガラス枠４及び上球皿５が閉鎖施錠された状態で遊技に供され、球皿部５ａに遊技球を貯留させて発射ハンドル９を回動操作することにより遊技が開始される。遊技者が発射ハンドル９の回動操作部９ａに手を触れると、球皿部５ａに貯留する遊技球が図示しない球送り装置によって１球ずつ発射レール上に送り出され、球発射装置５０の打撃ハンマ５０２が回動操作部９ａの操作量に応じた打撃力で遊技球を遊技盤２０の遊技領域へ打ち出すことにより、以降のパチンコ遊技が展開される。
【００４７】
次に、かかる概要構成されるパチンコ機１について、各部の構成を更に詳しく説明する。
【００４８】
遊技盤２０は、所定板厚の積層合板の表面にセルが貼り付けられた化粧板の前面側に、ステンレス鋼板等からなる帯状の外レール７１及び内レール７２が固設されている。そして、これらの案内レールによって囲まれた内側に上述した遊技領域が形成されている。遊技領域内には、上述したように多数の釘が打設されたゲージパターンとともに、チャッカー２１、始動チャッカー２２、及び開閉式のアタッカー２３等の入賞役物、更には液晶表示ユニット５３を有する飾り部材２８等が設けられている。
【００４９】
チャッカー２１は、遊技球が落入可能な入賞口を有し、入賞口に入球した遊技球を検出する入賞球センサが取り付けられている。この入賞球センサは、例えば、磁気的、光学的、電気的手段等により遊技球の通過を非接触に検出するセンサから形成される。
【００５０】
始動チャッカー２２は、いわゆる電動チューリップ構成の入賞役物であり、左右の羽部材を開閉させることで、ここへの入賞の確率を変動させることができるように構成されている。なお、この始動チャッカー２２の入賞口内にも上述したチャッカー２１と同様の入賞球センサ（始動口入賞球センサ）が設けられ、始動チャッカー２２への入球が検出されると、パチンコ機１の主制御基板６０は、例えば大当たり（確変当たり）等の通常よりも有利な条件で遊技ができる遊技状態へ移行する抽選を行う。
【００５１】
アタッカー２３は、中央に横長方形状の開口からなる大入賞口を有し、この大入賞口をソレノイド（大入賞口ソレノイド）により開閉可能とする開閉扉が取り付けられている。通常遊技状態においてはこの開閉扉は閉じられ、上述の始動チャッカー２２への入球の際に行われる抽選の結果、大当たり等の特別遊技状態が成立したときに、大入賞口の開閉扉が前方に約９０度倒される。
【００５２】
アタッカー２３の大入賞口へ遊技球が入球することにより、他の入賞役物よりも多くの遊技球が払い出される。このため、特別遊技状態においては、遊技者は通常よりも高い入賞確率で遊技を行うことができる。なお、大入賞口内には、左右に二つの入賞口が設けられ、いずれか一方の入賞口が特別領域を形成し、例えば大当たり当選時には、この特別領域の入賞口へ遊技球が入球する限り継続して予定される最大回数まで特別遊技状態を続けることができる。なお、アタッカー２３のそれぞれの入賞口においても、チャッカー２１と同様の入賞球センサ及び特定領域入賞球センサが設けられている。
【００５３】
遊技領域の最下部には、チャッカー２１、始動チャッカー２２、アタッカー２３等のいずれの入賞口にも入球せずに落下したアウト球を集合して排出させるアウト口２４が設けられている。
【００５４】
なお、遊技盤２０の裏面側には所定間隔をおいて裏カバーが固定され、各入賞口へ落入した遊技球が、遊技盤２０の裏面と当該裏カバーとの間に形成される球集合樋を通って落下する。そして、遊技盤２０の裏面側から落下した遊技球とアウト口２４から排出されたアウト球とが合流し、これら遊技済み球が裏セット盤３０に形成されている球排出通路３４を通って貯球タンクへと回収されるように形成されている。
【００５５】
図５を参照し、上下のヒンジ部材３６で前枠３に開閉可能に取り付けられる裏セット盤３０は、常には閉鎖レバー３７を介して遊技盤３０の裏面側を覆うように閉鎖保持される。裏セット盤３０を構成する基枠体３１の上部には、遊技施設の遊技島に配設されている球補給樋から補給される予備賞球を貯留するための球タンク５１が取り付けられている。そして、球タンク５１から賞球払出装置５２へ連通する予備賞球通路３２が基枠体３１の内部に形成されている。
【００５６】
予備賞球通路３２は、球タンク５１に接続し賞球払出装置５２側へ緩やかに下り傾斜する傾斜樋部３２１と、後述する球抜き装置１００内を貫通し略Ｓ字状に屈曲するＳ字レール部３２２とに概ね区分けされる。
【００５７】
傾斜樋部３２１の底面中央には、遊技球が流下する方向に沿ってリブ状の仕切り壁が設けられ、これにより２列の球通路が形成されている。また、傾斜樋部３２１内に突出して、球均し部材が遊技球の流下方向に沿って回動自在に吊り下げられている。かかる構成により、傾斜樋部３２１の底面から一定高さ以上で流下する遊技球（予備賞球）は、球均し部材に衝突ながら移動することでほぼ均一に均され、リブ状の仕切り壁によって２列に整列して効率良くＳ字レール部３２２へと転送される。Ｓ字レール部３２２は、下方に向かいながら二段に屈曲する球通路から形成されているので、これにより、予備賞球通路３２内に積み重ねられて待機する遊技球によって賞球払出装置５２に作用する重圧が緩和される。
【００５８】
傾斜樋部３２１の終端近傍には、必要に応じてこの球通路を手動で閉鎖し予備賞球の流れを停止可能とする球止め機構３８と、賞球払出装置５２が払い出すべき予備賞球が充分にＳ字レール部３２２内に保持されているか否か検出する球切れスイッチ３９が取り付けられている。また、球切れスイッチ３９の上部には、擬似的にＳ字レール部３２２内の球有り状態を作り出す、疑似球有り状態創出機構４０が設けられている。
【００５９】
また、傾斜樋部３２１の終端近傍には、Ｓ字レール部３２２よりも上流側に待機する予備賞球を球抜き通路３５を介してパチンコ機１の機外へ強制的に排出させる球抜き装置１００が形成されている。この球抜き装置１００の構成及び作用の詳細については、上述の球止め機構３８、球切れスイッチ３９、及び疑似球有り状態創出機構４０の説明とともに後述する。
【００６０】
予備賞球通路３２のＳ字レール部３２２に接続して賞球払出装置５２が基枠体３１に取り付けられている。賞球払出装置５２は、上部中央にＳ字レール部３２２の終端に繋がって予備賞球を受容する受容口と、下部の左右に賞球及び貸球をそれぞれ賞球通路３３へ払い出す払出口が設けられるとともに、ケース部材内部に前後二段のインペラと、これらインペラを回転させる球払出モータ等を有している。そして、所定条件のもと払出制御基板６２から出力される払出指令信号に従って球払出モータを作動させ、インペラを時計回り又は反時計回りに回転させて、払出指令信号に基づく数量の遊技球（賞球又は貸球）を右又は左の払出口から賞球通路３３へ払い出す。なお、賞球払出装置５２の詳細な説明については後述する。
【００６１】
賞球通路３３は、上球皿５の球皿部５ａへ通じる上球皿通路部３３１と、下球皿７の球皿部７ａへ通じる下球皿通路部３３２とを有して形成されている。両通路部は、賞球通路３３のほぼ下半分を閉塞するように設けられた仕切り壁３３３によって略区分けされ、上部においてそれぞれが連通しながら賞球払出装置５２の払出口に繋がっている。
【００６２】
すなわち、上球皿通路部３３１には、仕切り壁３３３に隣接する上流側に、上球皿出口３３４が設けられており、賞球払出装置５２から払い出された遊技球は、上球皿通路部３３１を落下して上球皿出口３３４から上球皿５の球皿部５ａへ払い出されるようになっている。
【００６３】
一方、下球皿通路部３３２には、仕切り壁３３３の上方において左下方へ若干傾斜する直線状の迂回溝３３５が、基枠体３１の壁面と、賞球通路３３の他方の壁面を形成する図示していないカバー部材とにそれぞれ形成されている。すなわち、上球皿５に貯留する遊技球が一杯になって上球皿出口３３４から遊技球を排出できなくなり、更に仕切り壁３３３の上端まで遊技球が充満した状態で新たに賞球払出装置５２から遊技球が賞球として払い出されたときに、払い出された当該賞球は、仕切り壁３３３で堰き止められた遊技球を乗り越えて下球皿通路部３３２へ溢れ出るとともに、仕切り壁３３３の上方の迂回溝３３５を通って下方の球バケット３３６へ流下する。
【００６４】
なお、球バケット３３６は前枠３の遊技補助盤２０ａの下部に設けられ、全体として矩形状の箱体を成している。球バケット３３６の上面後部は、上述の下球皿通路部３３２の終端と接続する開口となっており、また、球バケット３３６の前方下部において、下球皿７の球皿部７ａに形成されている球出口７ｂと連通している。これにより、下球皿通路部３３２を流下して球バケット３３６へ至った賞球は、球出口７ｂを通って下球皿７の球皿部７ａへ排出される。また、球バケット３３６の上面前部の開口は、遊技補助盤２０ａと下球皿７との間に形成されている球集合通路（図示略）と接続している。この球集合通路は、上球皿５の球皿部５ａの球抜き口と繋がっており、球抜きレバー８が操作されたときこの球抜き口が開放し、上球皿５の球皿部５ａに貯留されている遊技球が、球抜き口から球集合通路及び球バケット３３６を通って下球皿７の球皿部７ａへ排出される。また、球集合通路は、ファール球を回収するファール球回収通路その他のこぼれ球を回収する球回収通路とも連通し、これら球回収通路によって回収された遊技球が集合され球バケット３３６を介して下球皿７の球皿部７ａへ排出されるようになっている。
【００６５】
球排出通路３４は多段に形成された屈曲部を有し、その上端は、裏セット盤３０が前枠３に閉鎖された状態において、遊技盤２０の裏面側に設けられる裏カバーに形成された球集合樋の終端とアウト口２４に接続される。これにより、各入賞口へ入球し球集合樋に集められた遊技球とアウト口２４に入球したアウト球は球排出通路３４に受容され、各屈曲部に衝突することで速度が緩和されながら終端に開口する球排出口３４１へと落下する。パチンコ機１が遊技島に設置される状態では、球排出通路３４の球排出口３４１がダクト（ジャバラ）を介して遊技島側の貯球タンクと接続され、これら遊技済みの遊技球は球排出通路３４を通って貯球タンクへと回収される。
【００６６】
なお、上述した予備賞球通路３２、賞球通路３３、球排出通路３４、球抜き通路３５等を塞ぐように図示しない一体のカバー部材が裏セット盤３０の基枠体に取り付けられることで、各球通路の裏面側の側壁が形成される。
【００６７】
次に、かかる構成のパチンコ機１において、賞球又は貸球を上球皿５（又は下球皿７）へ払出す払出し機構と、賞球払出装置５２の上流側の球通路に待機する遊技球（予備賞球）を球抜き通路３５及び球排出通路３４を介してパチンコ機１の機外へ強制的に排出させる球抜き機構の詳細を説明する。
【００６８】
図６は、上記カバー部材及び賞球払出装置５２のカバー部材が取り外された裏セット盤３０の背面図であり、特に賞球払出装置５２と球抜き機構の構造を表している。図７は、賞球払出装置５２の外観構造を表す斜視図、図８（ａ）及び（ｂ）のそれぞれは賞球払出装置５２の動作を説明するための断面図である。
【００６９】
図６に示されるように、予備賞球通路３２の終端付近には、必要なときに予備賞球通路３２を手動で閉鎖する球止め機構３８と、Ｓ字レール部３２２内の球有り状態を擬似的に作り出す疑似球有り状態創出機構４０と、Ｓ字レール部３２２内に保持される遊技球を検出する球切れスイッチ３９と、Ｓ字レール部３２２よりも上流側に待機する予備賞球を強制的にパチンコ機１の機外へ排出させる球抜き装置１００とからなる球抜き機構が形成されている。また、この球抜き機構と接続して、賞球払出装置５２が裏セット盤３０の基枠体３１に取り付けられている。
【００７０】
賞球払出装置５２は、図７に示されるように、Ｓ字レール部３２２を介して供給される遊技球（予備賞球）を受容する受容口５２３と、賞球又は貸球を払い出す払出口が形成された矩形状のケース部材５２１と、球払出モータを内側に取り付けられたカバー部材５２２とを有している。
【００７１】
図８に示されるように、ケース部材５２１内部には、周方向に沿って３等分される外周位置に遊技球を保持する溝部が形成された前後二段のインペラ５２７ａ、５２７ｂが回転自在に設けられ、ケース部材５２１に相対してカバー部材５２２が取り付けられた状態では、球払出モータ５２８の駆動軸の先端部がケース部材５２１内部のインペラ５２７ａ、５２７ｂの回転軸に係合する。これにより、一体的に形成されたインペラ５２７ａ、５２７ｂは、球払出モータ５２８によって回転駆動される。
【００７２】
また、ケース部材５２１内部には、受容口５２３から供給された遊技球をインペラ５２７ａ、５２７ｂ側へ案内する前後二列の導入通路５２４と、時計回りに回転駆動されたインペラ５２７ａ、５２７ｂの溝部に保持されながら送り出される遊技球を下方の払出口５２６ａ側へ案内する払出通路５２５ａと、同じく反時計回りに回転駆動されたインペラ５２７ａ、５２７ｂの溝部に保持されながら送り出された遊技球を下方の払出口５２６ｂ側へ案内する払出通路５２５ｂとが形成されている。
【００７３】
ここで、図８（ａ）は、インペラ５２７ａの一つの溝部が最上位置にあって受容口５２３から供給された一つの遊技球を保持している状態を表し、図８（ｂ）は、インペラ５２７ａが時計回りに約９０度回転し前記遊技球を払出通路５２５ａ側へ送り出した状態を表している。
【００７４】
このように、賞球払出装置５２は、例えばパチンコ機１の遊技において入賞が確定したとき、上述した払出制御基板６２によって球払出モータ５２８が制御され、インペラ５２７ａ、５２７ｂが所定の回転量だけ時計回りに回転することで、当該入賞の種類に応じた数の賞球が払出通路５２５ａを介して払い出される。
【００７５】
また、パチンコ機１に対して遊技球の貸出し操作が行われると、払出制御基板６２によってインペラ５２７ａ、５２７ｂが所定の回転量だけ反時計回りに回転制御され、これにより所定数の貸球が払出通路５２５ｂを介して払い出される。
【００７６】
なお、図６に示されるように、賞球払出装置５２のそれぞれの払出口５２６ａ、５２６ｂには、光センサである球払出センサ５２９ａ、５２９ｂが設けられている。球払出センサ５２９ａ、５２９ｂは、賞球払出装置５２が払い出した賞球又は貸球を検出してその検出信号を払出制御基板６２へ送出する。実際に払い出された遊技球の数を払出制御基板６２が把握しながら賞球払出装置５２に対し球払出しの制御を行うため、正確な数の遊技球の払い出しが可能となっている。
【００７７】
次に、予備賞球通路３２の終端付近に設けられる球抜き機構について説明する。図９は、裏セット盤３０のカバー部材が取り外された状態における球抜き機構の外観構造を表す斜視図である。図１０は、予備賞球通路３２の壁面が閉塞された通常の状態（球抜き操作されていない状態）にある球抜き機構の構造を表す背面図、図１１は、図１０に示す球抜き機構を右方から見た部分断面図である。図１２は、球抜き操作が行われ予備賞球通路３２の壁面が開放された状態にある球抜き機構の構造を表す背面図、図１３は、図１２に示す球抜き機構を右方から見た部分断面図である。
【００７８】
球止め機構３８は、予備賞球通路３２における遊技球の流れを一時的に止める機構である。通常、球止め機構３８は、予備賞球通路３２内を開放する位置に設定されるが、例えば賞球払出装置５２の保守、点検作業を行う際には、球止め機構３８を球通路閉鎖位置に操作してこれより下流への遊技球の流れを停止させ、後述する球抜き装置１００を作動させてＳ字レール部３２２内の遊技球を排出し、上記作業を迅速又は容易に行えるようにしている。
【００７９】
図９及び図１０に示されるように、球止め機構３８は、予備賞球通路３２の上部において回動可能に枢支されている規制部材３８１と、予備賞球通路３２の上部を覆う上部カバー部材３８２と、裏セット盤３０の基枠体３１に形成され規制部材３８１を球通路開放位置又は球通路閉鎖位置に保持するための係止片３８３から主に構成されている。
【００８０】
規制部材３８１は、予備賞球通路３２の上部に形成された軸孔に枢支される枢軸部３８１ａと、枢軸部３８１ａから延びるアーム部３８１ｂと、アーム部３８１ｂの先端から回動方向へ屈曲して突出する二本の規制爪部３８１ｃと、同じくアーム部３８１ｂの先端から回動軸と平行する方向（パチンコ機１の後方）へ延びる操作レバー部３８１ｄとを有し、これらが硬質プラスチックによって一体的に形成されている。
【００８１】
予備賞球通路３２の上部には上部カバー部材３８２が取り付けられており、上部カバー部材３８２には、規制部材３８１が球通路閉鎖位置に回動された際にその規制爪部３８１ｃと位置整合し当該規制爪部３８１ｃを貫通させて予備賞球通路３２内へ突出させるための二つの開口３８２ａがそれぞれ形成されている。
【００８２】
係止片３８３は、上下及び右辺が基枠体３１から切り離されて形成され、その右端付近には規制部材３８１に向けて凸状の突起部３８３ａが形成されている。すなわち係止片３８３は、その左辺部分が基枠体３１と一体をなし支持されながら弾性変形することで、その右端部分に形成された突起部３８３ａが前後方向に変位可能となっている。
【００８３】
球止め機構３８は、通常の遊技状態においては、規制部材３８１が予備賞球通路３２の下流側へ回動された状態である球通路開放位置に設定される。このとき、規制部材３８１は、そのアーム部３８１ｂが基枠体３１から後方へ突出する係止片３８３の突起部３８３ａに係止され、上記球通路開放位置において保持される。賞球払出装置５２の保守、点検作業等、遊技球の供給を停止する際には、規制部材３８１の操作レバー部３８１ｄを予備賞球通路３２の上流側へ回動操作することで、予備賞球通路３２を閉鎖する球通路閉鎖位置に設定される。このとき、係止片３８３は、その突起部３８３ａが規制部材３８１のアーム部３８１ｂと摺接しながら前方へ弾性変位し、規制部材３８１が球通路閉鎖位置に達すると、突起部３８３ａが基枠体３１から後方へ突出する位置へ戻る。これにより規制部材３８１は、そのアーム部３８１ｂが突起部３８３ａに係止され、球通路閉鎖位置に保持される。規制部材３８１が球通路閉鎖位置にあるとき、規制爪部３８１ｃが予備賞球通路３２内へ突出するため、予備賞球通路３２内の遊技球の流れがこの規制爪部３８１ｃによって阻止される。
【００８４】
次に、球切れスイッチ３９と疑似球有り状態創出機構４０について説明する。一般には、Ｓ字レール部３２２内に待機する予備賞球がなくなり、この球切れ状態が球切れスイッチ３９によって検出されると賞球払出装置５２の作動が規制されるように構成されている。つまり、後述する球抜き装置１００を利用して当該球抜き装置１００よりも上流側に待機する予備賞球を全て排出しても、球切れスイッチ３９が球切れ状態を検出すると賞球払出装置５２を使うことができなくなるため、球抜き装置１００よりも下流側のＳ字レール部３２２内に予備賞球が残留することになる。疑似球有り状態創出機構４０は、このような場合において、Ｓ字レール部３２２内の球有り状態を擬似的に作り出し、球切れスイッチ３９による球切れ検出状態を解消させることで賞球払出装置５２の作動を可能にし、賞球払出装置５２を利用してＳ字レール部３２２内に残留する予備賞球を完全に排出するために設けられている。
【００８５】
図１４は、球切れスイッチ３９及び疑似球有り状態創出機構４０の構造を表す分解斜視図である。球切れスイッチ３９は、矩形状の箱体３９１に二つの筒状の検出通路３９１ａ、３９１ｂが形成され、箱体３９１内の上方に揺動支点を有して検出通路３９１ａ、３９１ｂ内に付勢され突出する検知レバー３９２ａ、３９２ｂと、箱体３９１に内蔵され検知レバー３９２ａ、３９２ｂが検出通路３９１ａ、３９１ｂの外方へ押圧操作されることでそれぞれオン動作する不図示の二つのスイッチとを備え構成されている。球切れスイッチ３９が裏セット盤３０に取り付けられた状態では、検出通路３９１ａ、３９１ｂは、Ｓ字レール部３２２の始端と接続し予備賞球通路３２の一部を構成している。すなわち、賞球払出装置５２により払い出される予定の予備賞球がＳ字レール部３２２内に保持され、球切れスイッチ３９よりも上流にまで待機しているときには、検出通路３９１ａ、３９１ｂ内の予備賞球により検知レバー３９２ａ、３９２ｂが押圧され、球切れスイッチ３９は球有り状態を検出する。少なくともどちらか一方の検出通路３９１ａ、３９１ｂから予備賞球が無くなると、当該検出通路の検知レバーが通路内へ突出する位置へ戻り、上記スイッチがオフ動作して球切れ状態が検出される。
【００８６】
疑似球有り状態創出機構４０は、球切れスイッチ３９の検知レバー３９２ａ、３９２ｂを押圧操作するための押圧子４０１ａ、４０１ｂを有するとともに回動自在に取り付けられる押圧部材４０１を基本部材とし、押圧部材４０１を裏面側で支持するカバー部材４０２と、押圧部材４０１を基枠体３１側の取り付け部に保持するホルダ部材４０３とによって構成される。
【００８７】
押圧部材４０１は、回転軸４０１ｃに対して直交する扇状の押圧子４０１ａ、４０１ｂと、後方の押圧子４０１ｂから後方に延びる操作レバー部４０１ｄとが一体的に形成されている。なお、扇状の押圧子４０１ａ、４０１ｂは、上述した球切れスイッチ３９の二つの検知レバーと位置整合する間隔で形成されている。カバー部材４０２は、押圧部材４０１の回転軸４０１ｃを回動自在に支持する軸受け部４０２ａと、上記操作レバー部４０１ｄを挿通させる円弧状のレバー窓４０２ｂが形成されている。ホルダ部材４０３は、右半分が上下に開いた壁面構成を有して概要箱状の形態をなし、後方の壁面下部に上記押圧部材４０１の回転軸４０１ｃを保持する略半円の切欠きである軸受け部４０３ａと、左右両側の壁面部において前方に突出する爪部４０３ｂとが一体的に形成されている。
【００８８】
この機構の組み付けにおいては、まず押圧部材４０１の前方側の押圧子４０１ａをホルダ部材４０３内に収容して、その回転軸４０１ｃをホルダ部材４０３の軸受け部４０１ａに当接させながら回転軸４０１ｃの前端部を基枠体３１側の軸受け部に嵌挿する。この状態でホルダ部材４０３の左右の爪部４０３ｂを基枠体３１側の係止孔に位置合わせして押圧することにより、ホルダ部材４０３が基枠体３１に係止し取り付けられる。次に、カバー部材４０２のレバー窓４０２ｂ内に押圧部材４０１の操作レバー部４０１ｄを挿通させながら、押圧部材４０１の回転軸４０１の後端部を軸受け部４０２ａに嵌挿させる。そして、基枠体３１側から植設された図示しないボス部に対しカバー部材４０２の上方両隅部をネジ止め固定することにより、カバー部材４０２が基枠体３１の所定位置に取り付けられる。
【００８９】
かかる構成の疑似球有り状態創出機構４０によれば、通常の遊技状態においては、押圧部材４０１の操作レバー部４０１ｄをレバー窓４０２ｂの左縁まで回動操作して押圧子４０１ａ、４０１ｂを検出通路３９１ａ、３９１ｂから退避させた状態に設定する。この状態では、予備賞球を規制なくＳ字レール部３２２及び賞球払出装置５２へ流下させるとともに、球切れスイッチ３９の高さまで予備賞球が保持されていなければ、球切れスイッチ３９が作動して球切れ状態が検出される。
【００９０】
上述したように賞球払出装置５２を利用してＳ字レール部３２２内に残留する予備賞球を完全に排出させる際には、後述する球抜き装置１００を作動して予備賞球通路３２内の予備賞球を排出させた後、操作レバー部４０１ｄをレバー窓４０２ｂの右縁まで回動操作して、これと連動する押圧子４０１ａ、４０１ｂによって球切れスイッチ３９の検知レバー３９２ａ、３９２ｂが押圧される位置に設定する。この状態においては、球切れスイッチ３９の検出通路３９１ａ、３９１ｂ内に擬似的に予備賞球が充満している状態が作り出されるとともに、球切れスイッチ３９がオン動作して球切れ検出状態が解消される。こうして、賞球払出装置５２を利用した予備賞球の球抜きが可能となる。
【００９１】
次に、図１０〜図１３を参照して本発明に係る球抜き装置１００の構造を説明する。球抜き装置１００は、予備賞球通路３２の終端付近に形成されるＳ字レール部３２２の壁面の一部として構成されるとともに基枠体３１に揺動可能に枢支される流路切換部材１０２と、通常は流路切換部材１０２を係止してＳ字レール部３２２の壁面を閉塞させ、球抜き操作部１０１ａが傾倒操作されることで流路切換部材１０２の係止を解除する部材であるレバー部材１０１と、球抜きされた予備賞球をパチンコ機１の機外へ排出させる球通路であってＳ字レール部３２２の壁面を構成する流路切換部材１０２付近から下方へ向かい基枠体３１に形成された開口である球排出口３５１を介して球排出通路３４へ繋がる球抜き通路３５と、流路切換部材１０２の上方に取り付けられ押圧することで流路切換部材１０２の揺動動作を規制するソレノイド１２２とによって主に構成されている。
【００９２】
流路切換部材１０２は、Ｓ字レール部３２２の壁面形状に倣った曲面を有する通路壁部１０２ａと、基枠体３１に植設されている支軸３１ａに枢支され揺動自在に支持される軸孔１０２ｄと、当該流路切換部材１０２がＳ字レール部３２２の壁面を閉塞させる揺動状態（閉塞状態）において上記レバー部材１０１の係合突起部１０１ｂと係合する位置に形成された孔である係合孔１０２ｂと、係合孔１０２ｂ付近から右方へ延び当該流路切換部材１０２がＳ字レール部３２２の壁面を開放させる揺動状態（球抜き状態）においてレバー部材１０１の係合突起部１０１ｂと係止可能な係止部１０２ｃと、係止部１０２ｃの上面に位置しソレノイド１２２のプランジャ１２２ａによって押圧される押圧面部１０２ｅと、押圧面部１０２ｅの右端部から上方へ突出する突出部１０２ｆを有し、これらが一体的に形成されている。なお、流路切換部材１０２は、基枠体３１に対して揺動自在に取り付けられた状態では、その重心が支軸３１ａよりも外方（図１０において右方）にあるため、Ｓ字レール部３２２内に予備賞球がなく、且つレバー部材１０１によって係止されていなければ、Ｓ字レール部３２２の壁面を閉塞する揺動位置で静止する。
【００９３】
レバー部材１０１は、基枠体３１の前面側に設置されたブラケット部材１０３に揺動自在に枢支される枢軸１０１ｄと、枢軸１０１ｄから上下に延びるアーム部１０１ｃと、アーム部１０１ｃの上端部で屈曲し外方（図１０においては右方）へ延びる球抜き操作部１０１ａと、アーム部１０１ｃの下端部で後方へ突出する係合突起部１０１ｂとを有し、これらが一体的に形成されている。また、レバー部材１０１がブラケット部材１０３に取り付けられる状態では、アーム部１０１ｃに設けられた不図示の板バネ部材によって、球抜き操作部１０１ａ側が前方へ、係合突起部１０１ｂ側が後方へ突出する方向に付勢されている。
【００９４】
なお、基枠体３１には、球抜き操作部１０１ａが後方へ傾倒操作されるとその一端が当接してオン動作する球抜き操作スイッチ１２１が設けられている。詳細な動作説明は後述するが、球抜き操作部１０１ａが後方へ傾倒され球抜き操作スイッチ１２１がオンすると、Ｓ字レール部３２２から上流に待機する予備賞球を排出させる球抜き動作が所定の条件下で行われる。また、球抜き装置１００による球抜き操作の手順としては、パチンコ機１の裏面側にいる作業員が球抜き操作部１０１ａを直接的に傾倒操作してもよいが、ガラス枠４及び前枠３等を貫通する球抜き操作孔１５０に操作ピンを挿入することで、パチンコ機１の正面側から球抜き操作部１０１ａを間接的に傾倒操作してもよい。
【００９５】
ソレノイド１２２は、上下に可動するプランジャ１２２ａを有し、常にはプランジャ１２２ａが下方に付勢された状態にある。ソレノイド１２２は、後述する球抜き制御基板１２０から駆動電流が供給されるとプランジャ１２２ａを上方へ縮退させる。
【００９６】
通常、遊技が行われている状態においては、図１０及び図１１に示されるように、流路切換部材１０２はＳ字レール部３２２の壁面を閉塞させる揺動位置にある。このとき、レバー部材１０１の係合突起部１０１ｂが流路切換部材１０２の係合孔１０２ｂに係合し、また流路切換部材１０２の押圧面部１０２ｅがソレノイド１２２のプランジャ１２２ａによって押圧されるとともに、突出部１０２ｆの側面がプランジャ１２２ａに係止して流路切換部材１０２の揺動動作が規制されている。
【００９７】
球抜き装置１００が球抜き動作をする際には、図１２及び図１３に示されるように、レバー部材１０１の球抜き操作部１０１ａが傾倒操作されると、操作部１０１ａの端部が球抜き操作スイッチ１２１を押圧して当該球抜き操作が検出される。詳細は後述するが、このときパチンコ機１の球抜き制御基板１２０は、ホールコンピュータＨＣへ球抜きの許可を求め、当該パチンコ機１の遊技機状態が例えば前枠３が開放していない等の条件を満足する場合に限り球抜きの許可を得る。ホールコンピュータＨＣから球抜きの許可があったとき、球抜き制御基板１２０によって、ソレノイド１２２のプランジャ１２２ａが上方へ縮退され、流路切換部材１０２の突出部１０２ｆとの係合関係が解除される。これとともに、流路切換部材１０２の係合孔１０２ｂと係合突起部１０１ｂとによる係合状態も解除される。これにより、予備賞球通路３２に待機する予備賞球の押圧力が流路切換部材１０２の通路壁部１０２ａへ作用して流路切換部材１０２が開き、球抜き通路３５を介して予備賞球が機外へ排出される。なお、予備賞球の球抜きが行われているときに、球抜き操作部１０１ａの傾倒操作を止めることで、レバー部材１０１の係合突起部１０１ｂが流路切換部材１０２の係止部１０２ｃに係止して、Ｓ字レール部３２２の壁面を開放する揺動位置に流路切換部材１０２を保持することができる。そして、Ｓ字レール部３２２よりも上流側の予備賞球が全て排出された後、再び球抜き操作部１０１ａを傾倒操作すると、係合突起部１０１ｂによる係止状態が解除され、流路切換部材１０２はＳ字レール部３２２の壁面を閉塞する揺動位置へ自動的に戻るようになっている。
【００９８】
次に、図１５のブロック図を参照して、パチンコ機１に設けられている制御システムについて説明する。
【００９９】
主制御基板６０は、演算装置としてのＣＰＵと半導体メモリであるＲＯＭ、及びＲＡＭ等の電子部品が搭載されており、ＲＯＭに予め記憶されているシステムプログラムに従ってＣＰＵが入賞役及び演出の抽選等の演算処理を実行してパチンコ遊技が展開される。また、主制御基板６０には、払出制御基板６２と、サブ制御基板６１と、画像制御基板６６と、遊技盤中継基板６４等の各制御基板がワイヤーハーネスで接続され、これら制御基板へ指令信号を送信して各制御基板に分散制御を行わせることによりパチンコ機１全体を統括制御している。
【０１００】
ここで、サブ制御基板６１には、スピーカ１１を鳴動制御する音声制御部６１１と、演出用照明部４ａの発光ダイオード又はランプ等を駆動制御するランプ制御部６１２とが設けられている。なお、音声制御部６１１は、各種演出効果音の圧縮音源データを記憶するＲＯＭと、主制御基板６０の指令信号に基づいて選択された音源データを復調し音声信号へ再生する音声信号処理回路と、再生された音声信号を増幅する増幅回路等を搭載している。また、ランプ制御部６１２は、主制御基板６０により選択されたシーケンスに従って演出用照明部４ａのランプ等を点灯又は点滅させる駆動回路を備えている。
【０１０１】
また、主制御基板６０には、始動口入賞球センサ２２ａが接続され、始動チャッカー２２への入球を始動口入賞球センサ２２ａが検出すると、所定数の賞球を払い出すべき旨の指令信号を払出制御基板６２へ送出するとともに、ハードウエア抽選回路を起動して入賞役の抽選を行う。このとき、主制御基板６０は、画像制御基板６６を制御して飾り部材２８に設けられた液晶表示ユニット５３に複数図柄を変動表示させたり、サブ制御基板６１を制御して入賞に係る効果音を発生させたり、演出用照明部４ａを点灯又は点滅等させることで、入賞への期待を高める演出を行っている。
【０１０２】
また、主制御基板６０には、チャッカー２１等に設けられている入賞球センサ２１ａが遊技盤中継基板６４を介して接続され、入賞球センサ２１ａが入賞口への入球を検出すると、所定数の賞球を払い出すべき旨の指令信号を払出制御基板６２へ送出する。
【０１０３】
なお、大当たり等の入賞役が当選すると、主制御基板６０は特別遊技状態へ遊技の処理を移行させ、遊技盤中継基板６４を制御して大入賞口ソレノイド２３ｃを作動し一定の要件下においてアタッカー２３の開閉扉を開放させる。これにより、特別遊技状態ではアタッカー２３への入球が可能となり、主制御基板６０は、アタッカー２３内に設けられている入賞球センサ２３ａ又は特定領域入賞球センサ２３ｂが入賞口への入球を検出する毎に、所定数の賞球を払い出すべき旨の指令信号を払出制御基板６２へ送出する。
【０１０４】
発射制御基板６７には、発射ハンドル９に内蔵されるタッチセンサ９１と、ポテンショメータ９２と、停止スイッチ９３とが接続されている。発射ハンドル９に設けられるタッチセンサ９１は、例えば静電容量型のセンサから形成され、遊技者等が発射ハンドル９の回動操作部９ａを触れている間、検出信号（オン信号）を発射制御基板６７へ送出する。ポテンショメータ９２は、回動操作部９ａが回動操作された回転角度に応じて電気抵抗が変化する。このため、例えば一定の電流をポテンショメータ９２に供給することで、発射ハンドル９の回動操作量に応じた電圧信号を発射制御基板６７は得ることができる。停止スイッチ９３は、遊技球の打ち出しを停止させるために発射ハンドル９に設けられた押圧式のスイッチである。
【０１０５】
発射制御基板６７は、遊技者等が発射ハンドル９に触れタッチセンサ９１がこれを検出している間、ポテンショメータ９２により検出される回動操作部９ａの回動角度に応じたトルクで球発射装置５０の球発射モータ５０１を作動させる。これにより、発射ハンドル９の回動操作量に応じた打撃力で遊技球を遊技盤２０へ打ち出している。なお、発射制御基板６７は、停止スイッチ９３が押圧操作されたのを検出するとその間は遊技者等が発射ハンドル９に触れていても上記球発射モータ５０１の作動を停止させる。
【０１０６】
払出制御基板６２には、賞球払出装置５２の球払出モータ５２８と、球払出センサ５２９ａ、５２９ｂとが接続されている。入賞口へ遊技球が入球し所定数の賞球を払い出すべき旨の指令信号が主制御基板６０から送出されると、払出制御基板６２が賞球払出装置５２の球払出モータ５２８を作動し、実際に払い出された賞球を球払出センサ５２９ａ、５２９ｂによって検出しながら球払出モータ５２８を制御することで、主制御基板６０からの指令信号に従った数の賞球の払い出しを行っている。なお、払出制御基板６２は、外部端子基板６５を介して上述した球切れスイッチ３９からの検出信号を入力し、予備賞球通路３２内が球切れ状態のときには、上記賞球払出装置５２の作動を停止するように制御している。
【０１０７】
また、払出制御基板６２には、下皿満タンスイッチ７ｃが接続され、下球皿７の球受部７ａに保持される遊技球が満杯になった状態を下皿満タンスイッチ７ｃが検出すると、仮に発射ハンドル９が操作されていても発射制御基板６７が球発射装置５０の作動を規制する。これにより、下球皿７が満杯の状態のときには遊技を中断させて、新たに払い出された賞球等が下球皿７の球受部７ａから溢れるのを防止している。
【０１０８】
外部端子基板６５は、遊技場の管理コンピュータであるホールコンピュータと配線ケーブルで接続され、該ホールコンピュータに対し当該パチンコ機１の稼動状態を報知するための出力端子基板として主に機能する電子回路基板である。
【０１０９】
外部端子基板６５には、上述した主制御基板６０、払出制御基板６２が接続され、これらの制御基板から当該パチンコ機１における現在の遊技状態である例えば大当たり（特別遊技状態）中か、賞球払出装置５２が作動して賞球若しくは貸球を払い出し中か、飾り部材２８の液晶表示ユニット５３による演出図柄が変動中かどうか等の遊技機情報を受けて上述したホールコンピュータへ常に報知している。また、外部端子基板６５には、前枠３及びガラス枠４の開放状態をそれぞれ検出する前枠開放スイッチ４１及びガラス枠開放スイッチ４２とが接続され、これら検出スイッチから得られる枠の開閉状態を示す情報もホールコンピュータへ報知している。
【０１１０】
更に、外部端子基板６５には、予備賞球通路３２内の予備賞球を排出させる球抜き操作を検知する球抜き操作スイッチ１２１と、球抜き装置１００による球抜き動作を制御する球抜き制御基板１２０が接続される。
【０１１１】
球抜き制御基板１２０は、後述するように、当該パチンコ機１において球抜き装置１００による球抜き操作を実行可能かどうか、その許可を求める球抜き許可要求信号を外部端子基板６５を介して送信し、この要求信号に応答してホールコンピュータが返信する球抜き許可応答信号の内容に応じて球抜き装置１００のソレノイド１２２をオンオフ制御する。
【０１１２】
次に、本発明に係る球抜き動作を実行させるために遊技場施設に設けられるシステム構成を説明する。図１６は、当該システムの構成を表す図である。同図を参照し、遊技場に設けられるホールコンピュータＨＣは、複数の信号の送受信を行う入出力基板である端子基板ＴＢを介して遊技場内に設置されている複数のパチンコ機１と配線ケーブルで接続され、各パチンコ機１が送信するそれぞれの遊技機情報を収集し管理している。なお、本発明は、ホールコンピュータＨＣと各パチンコ機１とを通信ネットワーク回線で相互に接続し、各パチンコ機１の遊技機情報、球抜き許可要求、及び球抜き許可応答等の各種情報を取り交わすシステムに適用するものであってもよい。
【０１１３】
ホールコンピュータＨＣには情報記憶装置ＤＢが備えられ、ここにパチンコ機１のそれぞれについての球抜き動作を許可又は禁止する旨のリアルタイムな情報が対応付けられた球抜き許可テーブルＰＴＢが記憶されている。球抜き許可テーブルＰＴＢは、ホールコンピュータＨＣが実行する、例えば球抜き許可テーブル編集タスク（後述）によって、各パチンコ機１から得られる遊技機情報に基づいて、随時、更新可能となっている。また、球抜き許可テーブルＰＴＢは、遊技場の管理者等、特に球抜き操作をすることができる資格（権限）を有する者によって、ホールコンピュータＨＣの入力装置ＫＢ等を使って書き換え編集されるものであってもよい。
【０１１４】
かかる構成のパチンコ機１における球抜き装置１００を使って予備賞球通路３２から遊技球（予備賞球）を機外へ排出させる球抜き動作を、図１７及び図１８に示すフローチャートに基づいて説明する。なお、図１７はパチンコ機１に設けられている球抜き制御基板１２０とホールコンピュータＨＣとが連携して実行する制御処理を表し、図１８はホールコンピュータＨＣが実行する上記球抜き許可テーブルＰＴＢを編集するタスク処理を表している。
【０１１５】
まず、図１７を参照し、パチンコ機１及びホールコンピュータＨＣが連携して実行する球抜き動作を説明する。球抜き装置１００は、球抜き操作レバー部１００ａが傾倒操作されるまで動作待機の状態にある。このとき、ソレノイド１２２のプランジャ１２２ａは伸長し、流路切換部材１０２の突出部１０２ｆを係止している。作業者等により操作レバー部１００ａが傾倒操作され球抜き操作スイッチ１２１がオンし、これにより球抜き操作が検出されると（ステップＳ１０１：ＹＥＳ）、球抜き制御基板１２０は、球抜き許可要求ＲＱＰの信号をホールコンピュータＨＣへ送信する（ステップＳ１０２）。なお、各パチンコ機１とホールコンピュータＨＣとが通信ネットワークで相互に接続されたシステムにおいては、要求の発信元を容易に特定できるように、球抜き操作された当該パチンコ機１の台番号（すなわち各パチンコ機に割り当てられた識別番号）を付して球抜き許可要求ＲＱＰを発行してもよい。
【０１１６】
ホールコンピュータＨＣにおいては、球抜き許可タスクが起動しており、遊技場内に設置されている何れかのパチンコ機１から球抜き許可要求ＲＱＰの信号を受信すると（ステップＳ２０１）、球抜き許可テーブルＰＴＢを参照して要求があったパチンコ機１が球抜き動作可能な状態にあるかどうか調べる（ステップＳ２０２）。すなわち、球抜き許可テーブルＰＴＢは、図１６に示されるように、各パチンコ機１の台番号に対して現時点で球抜き装置１００による球抜き動作が可能かどうか、許可又は禁止する旨の情報が対応付けられている。ホールコンピュータＨＣは、球抜き許可要求ＲＱＰを出したパチンコ機１に対し、球抜き許可テーブルＰＴＢの記憶内容に基づいて球抜き動作を許可又は禁止する旨を示す球抜き許可応答ＲＳＰの信号を当該パチンコ機１へ返信する（ステップＳ２０３）。なお、通信ネットワークを利用するシステムにおいては、上述した球抜き許可要求ＲＱＰのデータ構成と同様に、送信先のパチンコ機１の台番号を付して球抜き許可応答ＲＳＰを送出するものであってもよい。
【０１１７】
パチンコ機１は、ホールコンピュータＨＣから球抜き許可応答ＲＳＰの信号を受信し（ステップＳ１０３）、その信号が示す内容に基づいて球抜き動作が可能か判定する。受信した球抜き許可応答ＲＳＰが球抜き許可を示さない（球抜き動作を禁止する）場合（ステップＳ１０４：ＮＯ）、球抜き動作は行われずに処理は終了する。また、パチンコ機１は、上述の球抜き許可要求ＲＱＰを発行した後、所定の時間内にホールコンピュータＨＣから球抜き許可応答ＲＳＰが得られなかった場合においても球抜き動作を行わずに処理を終了させる。
【０１１８】
パチンコ機１が受信した球抜き許可応答ＲＳＰが球抜き許可を示す場合には（ステップＳ１０４：ＹＥＳ）、球抜き制御基板１２０は、球抜き装置１００のソレノイド１２２を駆動しプランジャ１２２ａを縮退させる（ステップＳ１０５）。これにより、流路切換部材１０２の規制が解除され、予備賞球通路３２に待機する遊技球の押圧力によって当該流路切換部材１０２が開き遊技球が機外へ排出される。
【０１１９】
この球抜き動作が開始すると、演出用照明部４ａのランプ類を点灯し（ステップＳ１０６）球抜き動作が作動中であることを作業員等に報知する。球抜き制御基板１２０は球切れスイッチ３９の出力を監視して、所定時間以上、遊技球が検出されず球切れ状態と判定したとき（ステップＳ１０７：ＹＥＳ）、上記ランプ類を点滅させる（ステップＳ１０８）。これにより、予備賞球路３２内の遊技球の排出が終了し、操作レバー部１００ａの再操作である球抜き終了操作が可能であることを作業員等に報知する。
【０１２０】
球抜き制御基板１２０は、遊技球の排出終了後に球抜き操作スイッチ１２１のオン動作を検出することで、操作レバー部１００ａが再操作されたと判定すると（ステップＳ１０９：ＹＥＳ）、ソレノイド１２２の駆動を停止しプランジャ１２２ａを伸長させる（ステップＳ１１０）。球抜き動作が終了した際には、流路切換部材１０２は、Ｓ字レール部３２２の壁面を閉塞する位置に自動的に戻り、且つプランジャ１２２ａによって係止される。
【０１２１】
なお、球抜き制御基板１２０は、予備賞球通路３２内の球切れスイッチ３９が球切れ状態を検出した後に球抜き動作を終了させるので、仮に、球抜き装置１００が遊技球を排出している最中に再度の球抜き操作がされたとしても、球切れスイッチ３９が遊技球を検出しているため、球抜き動作が終了せず当該再操作は無効となる。
【０１２２】
また、上述の球抜き許可タスクは、ホールコンピュータＨＣにおいて常時起動されているタスクであってもよいし、遊技場内に設置されるいずれかのパチンコ機１からの球抜き許可要求ＲＱＰの発行を契機に、随時、起動されるタスクであってもよい。
【０１２３】
次に、図１８のフローチャートに基づいて、ホールコンピュータＨＣが上記球抜き許可タスクとともに並列的に実行する、球抜き許可テーブル編集タスクを説明する。なお、本タスクは、ホールコンピュータＨＣにおいて予め決められたタイムスケジュールに従って、順次、繰り返して起動され、具体的には、各パチンコ機１の現在の遊技機情報を取得し一定の条件下で当該パチンコ機１の球抜き動作を許可又は禁止する判定を行って、その結果を球抜き許可テーブルＰＴＢにそれぞれ記憶させる。そして、遊技場内の全てのパチンコ機１について球抜き許可テーブルＰＴＢの更新が一巡すると、再び各パチンコ機１の現在の遊技機情報に基づく球抜き許可テーブルＰＴＢの更新を継続して行っている。
【０１２４】
図１８は、各パチンコ機１について順次起動される球抜き許可テーブル編集タスクのうち、一のパチンコ機１について行うタスク処理を表している。始めに、ホールコンピュータＨＣは、本タスクが対象としているパチンコ機１の現在の遊技機情報を取得する（ステップＳ３０１）。具体的な遊技機情報としては、例えば、上述した前枠３及びガラス枠４の開閉状態、図柄表示状態、大当たり（特別遊技）状態、遊技球の払い出し状態などを示す情報である。
【０１２５】
次に、取得した遊技機情報からパチンコ機１の前枠３が開放しているかどうか判定する（ステップＳ３０２）。当該パチンコ機１の前枠３が開放していると判定すると（ステップＳ３０２：ＹＥＳ）、当該パチンコ機１について球抜き動作を禁止する旨の情報を球抜き許可テーブルＰＴＢへ設定し（ステップＳ３０３）、本タスク処理を終える。
【０１２６】
前枠３が開放状態になければ（ステップＳ３０２：ＮＯ）、次に当該パチンコ機１のガラス枠４が開放状態にあるかどうか判定する（ステップＳ３０４）。ガラス枠４が開放していると判定すると（ステップＳ３０４：ＹＥＳ）、当該パチンコ機１について球抜き動作を禁止する旨の情報を球抜き許可テーブルＰＴＢへ設定し（ステップＳ３０３）、本タスク処理を終える。
【０１２７】
ガラス枠４が開放状態になければ（ステップＳ３０４：ＮＯ）、次に当該パチンコ機１が図柄を変動表示中か判定する（ステップＳ３０５）。当該パチンコ機１が図柄を変動表示中であると判定すると（ステップＳ３０５：ＹＥＳ）、当該パチンコ機１について球抜き動作を禁止する旨の情報を球抜き許可テーブルＰＴＢへ設定し（ステップＳ３０３）、本タスク処理を終える。
【０１２８】
当該パチンコ機１が図柄の変動表示中でなければ（ステップＳ３０５：ＮＯ）、次に当該パチンコ機１が大当たり中にあるか判定する（ステップＳ３０６）。当該パチンコ機１が大当たり中にあると判定すると（ステップＳ３０６：ＹＥＳ）、当該パチンコ機１について球抜き動作を禁止する旨の情報を球抜き許可テーブルＰＴＢへ設定し（ステップＳ３０３）、本タスク処理を終える。
【０１２９】
当該パチンコ機１が大当たり中でなければ（ステップＳ３０６：ＮＯ）、次に当該パチンコ機１が賞球又は貸球を払い出し中か判定する（ステップＳ３０７）。当該パチンコ機１が払い出し中にあると判定すると（ステップＳ３０７：ＹＥＳ）、当該パチンコ機１について球抜き動作を禁止する旨の情報を球抜き許可テーブルＰＴＢへ設定し（ステップＳ３０３）、本タスク処理を終える。
【０１３０】
ホールコンピュータＨＣは、当該パチンコ機１が現在、上記何れの状態にもあてはまらないと判定すると（ステップＳ３０７：ＮＯ）、当該パチンコ機１について球抜き動作を許可する旨の情報を球抜き許可テーブルＰＴＢへ設定し（ステップＳ３０８）、本タスク処理を終える。
【０１３１】
なお、球抜き装置１００による球抜き動作中に、前枠開放スイッチ４１によって前枠３の開放が検出されたとき、又はガラス枠開放スイッチ４２によってガラス枠４の開放が検出されたとき、又は図柄の変動表示が行われたとき、又は大当たり等の確変状態になったとき、又は遊技球の払い出し動作が開始したとき等、当該パチンコ機１において少なくとも前記何れかの状態が検出された場合、演出用照明部４ａ及び演出用放音部５ｃ等を駆動して当該パチンコ機１のエラーを周囲又は遊技場の管理者等へ報知する。
【０１３２】
かかる構成のパチンコ機１によれば、予備賞球通路３２に待機する遊技球を機外へ排出させる球抜きを行う前に、ホールコンピュータＨＣへ球抜き動作の許可を求める球抜き許可要求を送信し、ホールコンピュータＨＣから球抜き動作を許可する旨の応答信号を受信したときに限り、当該球抜き動作を実行するよう構成されている。ホールコンピュータＨＣでは、球抜き許可要求が出されたパチンコ機１の現在の遊技機情報を収集し、例えば、当該パチンコ機１の前枠３又はガラス枠４が開放されているとき、球抜き動作を禁止する旨の応答信号を当該パチンコ機１へ送信する。また、当該パチンコ機１が図柄表示中、大当たり中、又は払出中かいずれかの遊技状態にあるときにも球抜き動作を禁止する旨の応答信号を当該パチンコ機１へ送信する。
【０１３３】
すなわち、パチンコ機１に対し球抜き操作がされたとしても、当該パチンコ機１の前枠３が開放状態にあるなど不正な球抜き行為が行われる可能性がある上記いずれか一つの条件を満たすとき、当該球抜き動作が禁止されるので、かかる状態において行われる不正な球抜きを防止することができる。
【０１３４】
また、遊技場の管理者等、球抜き操作をする権限を有する者だけがホールコンピュータＨＣに管理される球抜き許可テーブルＰＴＢを編集し、各パチンコ機１の球抜き許可を設定できるようにすることで、管理者等以外の者による球抜き操作ができなくなる。このため、パチンコ機１における不正な球抜きを防止することができる。
【０１３５】
また、遊技球を機外へ排出している球抜き動作中に前枠３が開放するなど、パチンコ機１が上記いずれかの状態になったときエラーを報知するので、球抜き動作時の不正行為を確実に防止することができる。
【０１３６】
なお、本実施の形態においては、球抜き動作規制手段としてソレノイド１２２と流路切換部材１０２の突出部１０２ｆから形成される規制手段について説明したが、本発明はこれに限定するものではない。例えば回転動作型のステッピングモータ等、電気的に制御可能な他のアクチュエータを利用して流路切換部材１０２の動作を規制する球抜き動作規制手段を適用するものであってもよい。
【０１３７】
また、球抜き動作を制御する球抜き動作制御部としては、球抜き制御基板１２０に限らず、主制御基板６０又はサブ制御基板６１等の制御基板が演算処理をすることで、球抜き動作を制御してもよい。
【図面の簡単な説明】
【０１３８】
【図１】図１は本発明の一実施形態によるパチンコ機の外観構造を表す正面図である。
【図２】図２は本発明の一実施形態によるパチンコ機の遊技盤と前枠の構造を主に表す正面図である。
【図３】図３は本発明の一実施形態によるパチンコ機の外観構造を表す側面図である。
【図４】図４は本発明の一実施形態によるパチンコ機の外観構造を表す背面図である。
【図５】図５は本発明の一実施形態によるパチンコ機の背面図であって、各種電子回路基板及びカバー部材等を取り外した状態における裏セット盤の構造を表す図である。
【図６】図６は本発明の一実施形態によるパチンコ機の背面図であって、裏セット盤のカバー部材が取り外された状態における賞球払出装置と球抜き機構の構造を表す図である。
【図７】図７は本発明の一実施形態によるパチンコ機に設けられる賞球払出装置の外観構造を表す斜視図である。
【図８】図８（ａ）及び（ｂ）は賞球払出装置の動作を説明するための断面図である。
【図９】図９は本発明の一実施形態によるパチンコ機に設けられる球抜き機構の外観構造を表す斜視図である。
【図１０】図１０は本発明の一実施形態によるパチンコ機に設けられる球抜き機構の構造を表す背面図であって、流路切換部材がＳ字レール部の壁面を閉塞する揺動位置にある状態を表す図である。
【図１１】図１１は図１０において示される球抜き機構を右方から見た部分断面図である。
【図１２】図１２は本発明の一実施形態によるパチンコ機に設けられる球抜き機構の構造を表す背面図であって、流路切換部材がＳ字レール部の壁面を開放する揺動位置にある状態（球抜き状態）を表す図である。
【図１３】図１３は図１２において示される球抜き機構を右方から見た部分断面図である。
【図１４】図１４は本発明の一実施形態によるパチンコ機に設けられる、球切れスイッチと疑似球有り状態創出機構の構造を表す分解斜視図である。
【図１５】図１５は本発明の一実施形態によるパチンコ機の制御システムを表すブロック図である。
【図１６】図１６は本発明の一実施形態による球抜き動作を実行させるための遊技場施設に設けられるシステムの構成を表す図である。
【図１７】図１７は本発明の一実施形態によるパチンコ機とホールコンピュータとが連携して実行する球抜き動作の制御処理を表すフローチャートである。
【図１８】図１７は本発明の一実施形態によるホールコンピュータが実行する球抜き許可テーブル編集タスクの処理を表すフローチャートである。
【図１９】図１９は従来のパチンコ機における球抜き装置の外観構造を表す背面図である。
【符号の説明】
【０１３９】
１…パチンコ機、  ２…外枠、  ３…前枠、  ３ａ…ヒンジ部材、
４…ガラス枠、  ４ａ…演出用照明部、
５…上球皿、  ５ａ…球皿部、  ５ｂ…球出口、
５ｃ…演出用放音部、  ６…鍵穴、
７…下球皿、  ７ａ…球皿部、  ７ｂ…球出口、
８…球抜きレバー、  ９…発射ハンドル、  ９ａ…回動操作部、
１０…係合レバー、  １１…スピーカ、
２０…遊技盤、  ２０ａ…遊技補助盤、
２１…チャッカー、  ２１ａ…入賞球センサ、
２２…始動チャッカー、  ２２ａ…始動口入賞球センサ、
２３…アタッカー、  ２３ａ…入賞球センサ、
２３ｂ…特定領域入賞球センサ、  ２３ｃ…大入賞口ソレノイド、
２４…アウト口、  ２８…飾り部材、
３０…裏セット盤、  ３１…基枠体、  ３１ａ…支軸、
３２…予備賞球通路、  ３３…賞球通路、  ３４…球排出通路、
３５…球抜き通路、  ３６…ヒンジ部材、  ３７…閉鎖レバー、
３８…球止め機構、  ３９…球切れスイッチ、
４０…疑似球有り状態創出機構、
４１…前枠開放スイッチ、  ４２…ガラス枠開放スイッチ、
５０…球発射装置、  ５１…球タンク、  ５２…賞球払出装置、
５３…液晶表示ユニット、  ６０…主制御基板、
６１…サブ制御基板、  ６２…払出制御基板、  ６３…電源装置基板、
６４…遊技盤中継基板、  ６５…外部端子基板、  ６６…画像制御基板、
６７…発射制御基板、  ７１…外レール、  ７２…内レール、
９１…タッチセンサ、  ９２…ポテンショメータ、  ９３…停止スイッチ、
１００…球抜き装置、  １０１…レバー部材、  １０１ａ…球抜き操作部、
１０１ｂ…係合突起部、  １０１ｃ…アーム部、  １０１ｄ…枢軸、
１０２…流路切換部材、  １０２ａ…通路壁部、  １０２ｂ…係合孔、
１０２ｃ…係止部、  １０２ｄ…軸孔、  １０２ｅ…押圧面部、
１０２ｆ…突出部、  １０３…ブラケット部材、
１２０…球抜き制御基板、  １２１…球抜き操作スイッチ、
１２２…ソレノイド、  １２２ａ…プランジャ、
１５０…球抜き操作孔、  ３２１…傾斜樋部、  ３２２…Ｓ字レール部、
３３１…上球皿通路部、  ３３２…下球皿通路部、  ３３３…仕切り壁、
３３４…上球皿出口、  ３３５…迂回溝、  ３３６…球バケット、
３４１…球排出口、  ３５１…球排出口、
３８１…規制部材、  ３８１ａ…枢軸部、  ３８１ｂ…アーム部、
３８１ｃ…規制爪部、  ３８１ｄ…操作レバー部、
３８２…上部カバー部材、  ３８２ａ…開口、
３８３…係止片、  ３８３ａ…突起部、
３９１…箱体、  ３９１ａ、３９１ｂ…検出通路、
３９２ａ、３９２ｂ…検知レバー、
４０１…押圧部材、  ４０１ａ、４０１ｂ…押圧子、
４０１ｃ…回転軸、  ４０１ｄ…操作レバー部、
４０２…カバー部材、  ４０２ａ…軸受け部、  ４０２ｂ…レバー窓、
４０３…ホルダ部材、  ４０３ａ…軸受け部、  ４０３ｂ…爪部、
５０１…球発射モータ、  ５０２…打撃ハンマ、
５２１…ケース部材、  ５２２…カバー部材、
５２３…受容口、  ５２４…導入通路、  ５２５ａ、５２５ｂ…払出通路、
５２６ａ、５２６ｂ…払出口、  ５２７ａ、５２７ｂ…インペラ、
５２８…球払出モータ、  ５２９ａ、５２９ｂ…球払出センサ、
６１１…音声制御部、  ６１２…ランプ制御部、
ＨＣ…ホールコンピュータ、  ＰＴＢ…球抜き許可テーブル、
ＲＱＰ…球抜き許可要求、  ＲＳＰ…球抜き許可応答
【図１】
2005342245.tif 000003
【図２】
2005342245.tif 000004
【図３】
2005342245.tif 000005
【図４】
2005342245.tif 000006
【図５】
2005342245.tif 000007
【図６】
2005342245.tif 000008
【図７】
2005342245.tif 000009
【図８】
2005342245.tif 000010
【図９】
2005342245.tif 000011
【図１０】
2005342245.tif 000012
【図１１】
2005342245.tif 000013
【図１２】
2005342245.tif 000014
【図１３】
2005342245.tif 000015
【図１４】
2005342245.tif 000016
【図１５】
2005342245.tif 000017
【図１６】
2005342245.tif 000018
【図１７】
2005342245.tif 000019
【図１８】
2005342245.tif 000020
【図１９】
2005342245.tif 000021